(57)【要約】【課題】重ね合わせた前側液晶表示パネルと後側液晶表示パネルに同一仕様のフレキシブルプリント基板を用いた場合の駆動回路基板への引き回し接続を簡素化し、かつフレキシブルプリント基板の材料取り効率を向上させた液晶表示装置を低コストで提供する。【解決手段】前側液晶表示パネルＰＮＬ１と後側液晶表示パネルＰＮＬ２の各同じ側の長辺には、同一仕様で平面がコ字状のフレキシブルプリント基板ＦＰＣ１、ＦＰＣ２の長尺部分ＳＦがそれぞれ圧着接続されている。フレキシブルプリント基板ＦＰＣ１、ＦＰＣ２は、長尺部分ＳＦの一端でコ字形に折り返されて当該長尺部分ＳＦに沿って当該長尺部分ＳＦよりも短い長さで延びる幅広部分ＩＦを有する。幅広部分ＩＦには複数の折り目（カバーフィルムを線状に剥離した部分）ＮＴＣが形成されており、背面に設置された駆動回路基板までの引き回し距離に応じて折り目を選択する。幅広部分ＩＦの端部に接続端子ＴＭが形成されていて、駆動回路基板に設けたコネクタに接続される。【選択図】図１
2008065010.tif 000002
【特許請求の範囲】
【請求項１】
前後に所定の間隔で重ね合わせた二枚の液晶表示パネルと、
外部から入力する表示データを前記二枚の液晶表示パネルのそれぞれの表示部に表示させる表示信号に変換して供給する表示制御回路を搭載した駆動回路基板と、
前記駆動回路基板と前記二枚の液晶表示パネルのそれぞれとの間に接続して当該二枚の液晶表示パネルのそれぞれに供給する前記表示信号を伝送するためのフレキシブルプリント基板とを有する液晶表示装置であって、
前記駆動回路基板は前記後側の液晶表示パネルの背面に設置されており、
前記フレキシブルプリント基板は、前記二枚の液晶表示パネルについて同一仕様であり、かつ前記二枚の液晶表示パネルの対応する同一辺に沿って接続した長尺部分と、この長尺部分の一端でコ字形に折り返されて前記長尺部分に沿って当該長尺部分よりも短い長さで延びる幅広部分とを有し、
前記幅広部分を前記二枚の液晶表示パネルの厚み方向に折り曲げてその端部に有する端子部を前記後側の液晶表示パネルの背面に設けた前記回路基板に設けたコネクタのそれぞれに接続したことを特徴とする液晶表示装置。
【請求項２】
請求項１において、
前記フレキシブルプリント基板は、表裏にカバーフィルムを積層した多層構造を有し、
前記幅広部分の前記表裏のカバーフィルムの少なくとも一方に、前記折り曲げの容易性を確保するための前記液晶表示パネルの辺に対して傾斜した線状の剥離部分を複数個所に有することを特徴とする液晶表示装置。
【請求項３】
請求項２において、
前記二枚の液晶表示パネルのそれぞれに長尺部分を接続した前記フレキシブルプリント基板のそれぞれは、折り曲げた前記線状剥離部分が異なることを特徴とする液晶表示装置。
【請求項４】
請求項１乃至３の何れかにおいて、
前記二枚の液晶表示パネルの各表示部に表示される二次元画像との重ね合わせで三次元画像を生成することを特徴とする液晶表示装置。
【発明の詳細な説明】
【技術分野】
【０００１】
本発明は、液晶表示装置に係り、特に前後に重ねて配置した二枚の液晶表示パネルに表示される画像を重ね合わせることで、立体的に見える画像を表示する液晶表示装置に関する。
【背景技術】
【０００２】
特殊な眼鏡等を使用することなく表示画面に三次元的立体画像を表示させようとする技術について特許文献１を挙げることができる。特許文献１では、観察者から見て異なった奥行き位置にある複数の表示面に対して、表示対象物体を前記観察者の視線方向から射影した二次元像を生成する。生成された二次元像を観察者から見て異なった奥行き位置にある複数の表示面にそれぞれ表示し、表示される二次元像の輝度を前記各表示面毎にそれぞれ独立に変化させて、三次元的立体画像を生成する。
【０００３】
そして、特許文献１には、この三次元表示方法において、各表示面に表示される二次元画像の透過度を各表示面毎にそれぞれ独立に変化させて、各表示面に表示される二次元画像の輝度をそれぞれ独立に変化させることについて記載されている。
【０００４】
また、液晶表示パネルを用いて三次元の画像表示を行う液晶表示装置が種々提案されている。その一つに、二枚の液晶表示パネルを所定の間隔で前後に離して重ね合わせ、前側液晶表示パネルと後側液晶表示パネルとに供給する画像データに間の視差の違い、あるいは動きの違いで三次元の画像表示を実現するものが特許文献２に開示されている。特許文献２では、後側液晶表示パネルに表示される背景データの動きが前側液晶表示パネルに表示される前景データに比べて少ないことで三次元の画像表示がなされる。なお、前側液晶表示パネルと後側液晶表示パネルとの配置、あるいは背景データと前景データの各動きの違いもしくは両者が、三次元表示として観察されるための奥行き情報となる。
【０００５】
二枚の液晶表示パネルを所定の間隔で前後に離して重ね合わせたこの種の液晶表示装置においては、重ね合わせた二枚の液晶表示パネルの背面にバックライトを設置し、さらにその背面に設置した駆動回路搭載の回路基板から二枚の液晶表示パネルに表示信号や電源などの駆動信号を供給する。このとき、プリント回路基板を二枚の液晶表示パネルに共通の１枚とすることで構造と組み立ての簡易化を図ることができる。
【特許文献１】特開２００１-５４１４４号公報
【特許文献２】特許第３３３５９９８号公報
【発明の開示】
【発明が解決しようとする課題】
【０００６】
図１３は、液晶表示パネルに取り付けるフレキシブルプリント基板の１形態を説明する平面図である。図１４は、液晶表示パネルとバックライトおよび駆動回路基板を組み合わせてフレキシブルプリント基板で液晶表示パネルと駆動回路基板を接続した状態を示す側面図である。この液晶表示パネルＰＮＬへの表示信号等の供給すなわち駆動方式は、現在主流の駆動方式となっているデジタル信号順次転送方式（所謂、データ転送方式）である。デジタル信号は表示信号である。液晶表示パネルＰＮＬの長辺には複数のデータ線駆動回路チップＤＤが搭載又は形成され、短辺にはゲート線駆動回路チップＧＤが搭載又は形成されている。
【０００７】
フレキシブルプリント基板ＦＰＣは平面Ｌ字形を呈しており、その長尺部分ＳＦがデータ線駆動回路チップＤＤを搭載又は形成した液晶表示パネルＰＮＬの長辺に沿って異方性導電膜（ＡＣＦ）を介して圧着実装されている。フレキシブルプリント基板ＦＰＣの幅広部分（短尺部）ＩＦ（駆動回路基板への連絡接続部）は、デジタル信号や電源線の引き回しのために必要な幅を持ち、駆動回路基板ＰＣＢに接続される。なお、幅広部分という表現は、この部分が一般的に幅広に形成されている、という意味で用いる。図１４（ａ）のように駆動回路基板ＰＣＢをバックライトの背面に設置したものでは幅広部分ＩＦは液晶表示パネルとバックライトの積み重ね側面を回り込むのに充分な長さを持つ。また、図１４（ｂ）のように駆動回路基板ＰＣＢを液晶表示パネルとバックライトの積み重ね側面に設置したものでは幅広部分ＩＦは図１４（ａ）の場合よりも短い。
【０００８】
二枚の液晶表示パネルを所定の間隔で前後に離して重ね合わせて立体画像を表示する液晶表示装置では、コスト削減とフレキシブルプリント基板の誤組立や誤実装の防止のために部材の共通仕様化が必須である。
【０００９】
図１５は、二枚重ねの液晶表示パネルに同一仕様のフレキシブルプリント基板を用いた場合の課題を説明する側面図である。前側の液晶表示パネルＰＮＬ１と後側の液晶表示パネルＰＮＬ２とは図示しないスペーサの介在により規定の間隔Ｄ（例えば、６mm）で重ね合わされる。その背面にバックライトＢＬが積み重ねて設置されている。このような構造で、液晶表示パネルＰＮＬ１のフレキシブルプリント基板ＦＰＣ１、液晶表示パネルＰＮＬ２のフレキシブルプリント基板ＦＰＣ２として図１３に示したようなＬ字形のものを用い、駆動回路基板ＰＣＢをバックライトＢＬの背面に設置したときは、図１５（ａ）のように幅広部分ＩＦの長さを異ならせるか、あるいは長尺部分ＳＦの幅広部分ＩＦの形成位置をずらす必要がある。
【００１０】
また、二枚の液晶表示パネルに同一仕様のフレキシブルプリント基板として同一仕様のものを用いた場合は、図１５（ｂ）のように中継基板ＲＰＢを用いるか、フレキシブルプリント基板ＦＰＣ１を弛ませる必要がある。さもなければ、長尺部ＳＦの幅広部分ＩＦの形成位置をずらす必要がある。
【００１１】
さらに、同一仕様のフレキシブルプリント基板を採用する際に、図１３に示したようなＬ字形のフレキシブルプリント基板とした仕様では、当該フレキシブルプリント基板の面付け、すなわち材料取りの材料効率が低い。図１６は、図１３に示したフレキシブルプリント基板の材料取りを説明する図である。Ｌ字形のフレキシブルプリント基板を母基板シートＭ−ＦＰＣに面付けした場合、同図に示したように無駄な部分が多いことが分かる。
【００１２】
本発明の目的は、前後に重ね合わせた前側液晶表示パネルと後側液晶表示パネルに同一仕様のフレキシブルプリント基板を用いた場合の駆動回路基板への引き回し接続を簡素化し、かつフレキシブルプリント基板の材料取り効率を向上させた液晶表示装置を低コストで提供することにある。
【課題を解決するための手段】
【００１３】
本発明の液晶表示装置は、前後に所定の間隔で重ね合わせた二枚の液晶表示パネルと、外部から入力する表示データを前記二枚の液晶表示パネルのそれぞれの表示部に表示させる表示信号に変換して供給する表示制御回路を搭載した駆動回路基板を有し、前記二枚の液晶表示パネルの前側液晶表示パネルの表示部に表示される二次元画像と後側液晶表示パネルの表示部に表示される二次元画像とを重ね合わせで三次元画像を生成する三次元画像表示装置である。
【００１４】
本発明は、前記回路基板と前記二枚の液晶表示パネルのそれぞれとの間に接続して当該二枚の液晶表示パネルのそれぞれに供給する前記表示信号を伝送するためのフレキシブルプリント基板とを有する。そして、前記回路基板は前記後側の液晶表示パネルの背面に設置されている。
【００１５】
前記フレキシブルプリント基板は、前記二枚の液晶表示パネルについて同一仕様であり、かつ前記二枚の液晶表示パネルの対応する同一辺に沿って接続した長尺部分と、この長尺部分の一端でコ字形に折り返されて前記長尺部分に沿って当該長尺部分よりも短い長さで延びる幅広部分とを有し、前記幅広部分を前記二枚の液晶表示パネルの厚み方向に折り曲げてその端部に有する端子部を前記後側の液晶表示パネルの背面に設けた前記回路基板に設けたコネクタのそれぞれに接続した。
【００１６】
また、本発明の前記フレキシブルプリント基板は、表裏にカバーフィルムを積層した多層構造を有し、前記幅広部分の前記表裏のカバーフィルムの少なくとも一方に、前記折り曲げの容易性を確保するための前記液晶表示パネルの辺に対して傾斜した線状の剥離部分を複数個所に有する。この傾斜角度は、通常は４５度であるが、これに限らない。
【発明の効果】
【００１７】
本発明によれば、長尺部分と、この長尺部分の一端でコ字形に折り返されて前記長尺部分に沿って当該長尺部分よりも短い長さで延びる幅広部分とを有するフレキシブルプリント基板とすることで、重ね合わせた前側液晶表示パネルと後側液晶表示パネルに同一仕様のフレキシブルプリント基板を用いた場合の駆動回路基板への引き回し裕度向上と接続作業の簡素化が実現され、フレキシブルプリント基板の面付け（材料取り）効率も向上し、低コストで液晶表示装置を提供できる。
【００１８】
また、フレキシブルプリント基板には、母基板シートから打ち抜く前の状態でコンデンサ等の電子部品を半田実装するが、本発明によれば母基板シート一枚あたりの面付け数の増加で電子部品の半田実装工程でのスループットが向上し、コスト低減に資する。
【００１９】
前後の液晶表示パネルの折り曲げ位置が異なることで、幅広部分の重なりが回避でき、駆動回路基板の各コネクタとの接続位置をずらすことが可能となり、接続作業の容易化、誤接続の回避が可能となる。なお、駆動回路基板を液晶表示パネルとバックライトの積層構造の側面に設置する場合においても同様の効果が得られる。
【発明を実施するための最良の形態】
【００２０】
以下、本発明の実施の形態につき、実施例の図面を参照して詳細に説明する。本発明の実施例では、前側液晶表示パネルを９形ＶＧＡ（水平６４０画素×垂直４８０画素、以下６４０×４８０画素と表記する）、後側液晶表示パネルＰＮＬ２は９形ＸＧＡ（１０２４×７６８画素）としたものについて説明する。
【実施例１】
【００２１】
図１は、二枚の液晶パネルを用いた本発明による液晶表示装置の実施例１の構成を説明する液晶表示パネルとフレキシブルプリント基板の接続状態を説明する図である。図１において、この液晶表示装置は、前側液晶表示パネルＰＮＬ１と後側液晶表示パネルＰＮＬ２とを所定の間隔で重ねて配置する。前側液晶表示パネルＰＮＬ１と後側液晶表示パネルＰＮＬ２の各同じ側の長辺には平面がコ字状のフレキシブルプリント基板ＦＰＣ１、ＦＰＣ２の長尺部分がそれぞれ圧着接続されている。フレキシブルプリント基板ＦＰＣ１、ＦＰＣ２は同一仕様である。長尺部分が圧着接続される液晶表示パネルの表面には駆動回路チップへの端子がパターニングされている。駆動回路チップは図示を省略した。
【００２２】
フレキシブルプリント基板ＦＰＣ１、ＦＰＣ２は、この長尺部分ＳＦの一端でコ字形に折り返されて当該長尺部分ＳＦに沿って当該長尺部分ＳＦよりも短い長さで延びる幅広部分ＩＦを有し、幅広部分ＩＦの端部に接続端子ＴＭが形成されている。この接続端子ＴＭは後述するように、駆動回路基板に設けたコネクタに接続される。なお、この接続端子ＴＭにコネクタを取り付けることもできる。
【００２３】
フレキシブルプリント基板ＦＰＣ１、ＦＰＣ２は、それらの表裏にカバーフィルムを積層した多層配線構造を有し、前記幅広部分の前記表裏のカバーフィルムの少なくとも一方に、折り曲げの容易性を確保するための線状の剥離部分ＮＴＣを複数個所に有する。線状の剥離部分ＮＴＣは液晶表示パネルの長辺に対して傾斜している。この傾斜角度は、通常は４５度であるが、駆動回路基板に設けたコネクタの配置位置や設置角度に応じて他の角度とすることもできる。線状の剥離部分ＮＴＣは、所謂ミシン目状、連続溝状などの単線、複線、３複線などでよい。また、カバーフィルムが完全に除去された状態に限らず、当該部分を薄くしたものでもよい。
【００２４】
図２は、本発明の実施例１を説明する液晶表示装置の背面を示す図である。図２に示した液晶表示装置は、前側液晶表示パネルＰＮＬ１と後側液晶表示パネルＰＮＬ２とを所定の間隔で重ねた背面にバックライトＢＬを積層している。そして、バックライトの背面に駆動回路基板ＰＣＢが設置されている。図２では、後側液晶表示パネルＰＮＬ２のフレキシブルプリント基板ＦＰＣ２を長尺部分ＳＦと幅広部分ＩＦを接続するブリッジ部分ＢＧでバックライトＢＬの背面に回り込ませている。そして、コネクタＣＴ２に近い部分で幅広部分ＩＦを折り曲げて対応するコネクタＣＴ２に接続している。
【００２５】
同様に、前側液晶表示パネルＰＮＬ１のフレキシブルプリント基板ＦＰＣ１は長尺部分ＳＦと幅広部分ＩＦを接続するブリッジ部分ＢＧでバックライトＢＬの背面に回り込ませている。そして、フレキシブルプリント基板ＦＰＣ２の幅広部分ＩＦの折り曲げ部分よりも対応するコネクタＣＴ２よりも遠い部分の剥離部分ＮＴＣで幅広部分ＩＦを折り曲げて対応する当該コネクタＣＴ２に接続している。このとき、フレキシブルプリント基板ＦＰＣ１の幅広部分ＩＦは後側液晶表示パネルＰＮＬ２のフレキシブルプリント基板ＦＰＣ２の幅広部分ＩＦの上に一部が重なることになる。
【００２６】
このように、フレキシブルプリント基板ＦＰＣ１とフレキシブルプリント基板ＦＰＣ２でそれらの幅広部分ＩＦの折り曲げ部分をずらすことで一枚の駆動回路基板上でのコネクタの重なりを回避し、各コネクタの配置を液晶表示パネルとバックライトの積層した厚さに応じて任意に設定できる。
【００２７】
図３は、本発明におけるフレキシブルプリント基板の材料取りの効率化を説明する模式図である。前記図１６で説明したものと同じサイズの母基板シートＭ−ＦＰＣを用いた場合、図１６では８本のフレキシブルプリント基板ＦＰＣが得られるが、図３（ａ）では１０本を取ることができ、また図３（ｂ）では１４本フレキシブルプリント基板ＦＰＣが得られる。また、母基板シートＭ−ＦＰＣの幅Ｙを固定とし、長さＸを可変とすることで、長尺部分の長さＬの異なる多種のフレキシブルプリント基板ＦＰＣを材料取りの効率よく製作できる。
【００２８】
実施例１により、二枚の液晶表示パネルに同一仕様のフレキシブルプリント基板を用いることで、組立作業が誤りなく簡素化され、フレキシブルプリント基板の材料取りの効率化も含めて低コストで液晶表示装置を提供できる。
【００２９】
実施例１は、デジタル信号順次転送方式を採用した液晶表示パネルを二枚重ねて配置したものを例とした。液晶表示パネルの駆動方式には、デジタル信号バス配線方式を採用したものもある。以下、本発明をこのようなデジタル信号バス配線方式と前記実施例のデジタル信号順次転送方式とを組み合わせた液晶表示装置に適用した構成例を説明する。
【００３０】
図４は、デジタル信号バス配線方式の液晶表示パネルに複数のフレキシブルプリント基板を用いて駆動回路基板を接続した構成の説明図である。この液晶表示パネルでは、長辺にドレインドライバＤＤを搭載し、短辺にゲートドライバＧＤを搭載してある。長辺に搭載したドレインドライバＤＤのそれぞれには駆動回路基板ＰＣＢから短尺のフレキシブルプリント基板ＦＣＰを通して表示信号が供給される。
【００３１】
図５は、デジタル信号バス配線方式の液晶表示パネルに一本のフレキシブルプリント基板を用いて駆動回路基板を接続した構成の説明図である。この液晶表示パネルでも、長辺にドレインドライバＤＤを搭載し、短辺にゲートドライバＧＤを搭載してある。長辺に搭載したドレインドライバＤＤのそれぞれには、駆動回路基板ＰＣＢにはコネクタＣＴで接続した一本のフレキシブルプリント基板ＦＰＣを通して表示信号が駆動回路基板ＰＣＢから供給される。
【００３２】
図６は、デジタル信号バス配線方式の液晶表示パネルに複数のテープキャリアパッケージを用いて駆動回路基板を接続した構成の説明図である。この液晶表示パネルでは、ドレインドライバＤＤを搭載した複数のテープキャリアパッケージＴＣＰを用いている。短辺にはゲートドライバＧＤを搭載してある。複数のテープキャリアパッケージＴＣＰのそれぞれは駆動回路基板ＰＣＢに接続され、テープキャリアパッケージＴＣＰのそれぞれのドレインドライバＤＤを通して表示信号が供給される。
【００３３】
図７は、前側液晶表示パネルに前記本発明の実施例１で説明したものと同様のデジタル信号順次転送方式の液晶表示パネルを用い、後側の液晶表示パネルに図６で説明したデジタル信号バス配線方式の液晶表示パネルを用いた液晶表示装置における駆動信号供給方式を説明する図である。なお、ここではバックライトは図示を省略した。駆動回路基板ＰＣＢのテープキャリアパッケージＴＣＰを圧着接続した領域Ａの付近には各駆動回路チップへの配線があるため、コネクタを配置できない。そのため、前側液晶表示パネルＰＮＬ１のフレキシブルプリント基板ＦＰＣ１の幅広部分ＩＦを折り曲げて駆動回路基板ＰＣＢの領域Ａから遠い側に設けたコネクタＣＴ１に接続する。
【００３４】
図８は、前側液晶表示パネルに前記本発明の実施例１で説明したものと同様のデジタル信号順次転送方式の液晶表示パネルを用い、後側の液晶表示パネルに図５で説明したデジタル信号バス配線方式の液晶表示パネルを用いた液晶表示装置における駆動信号供給方式を説明する図である。なお、ここでもバックライトは図示を省略した。駆動回路基板ＰＣＢのフレキシブルプリント基板ＦＰＣは長尺部分の中央付近に幅広部分を形成してあり、駆動回路基板ＰＣＢの中央部分でコネクタＣＴ２に接続されている。図中Ｂで示したコネクタＣＴ２との接続部分には各駆動回路チップへの配線が集中するため、ＣＴ２は大型となる。そのため、コネクタＣＴ１は図７と同様の位置に配置せざるを得ない。前側液晶表示パネルＰＮＬ１のフレキシブルプリント基板ＦＰＣ１の幅広部分ＩＦを折り曲げて領域Ａから遠い側に設けたこのコネクタＣＴ１に接続することになる。
【００３５】
図９は、後側液晶表示パネルに前記本発明の実施例１で説明したものと同様のデジタル信号順次転送方式の液晶表示パネルを用い、前側の液晶表示パネルに図６で説明したデジタル信号バス配線方式の液晶表示パネルを用いた液晶表示装置における駆動信号供給方式を説明する図である。なお、ここでもバックライトは図示を省略した。駆動回路基板ＰＣＢのテープキャリアパッケージＴＣＰを圧着接続した領域の付近には各駆動回路チップへの配線があるため、コネクタを配置できないことは図７と同様である。そのため、後側の液晶表示パネルＰＮＬ２のフレキシブルプリント基板ＦＰＣ２の幅広部分ＩＦを折り曲げて駆動回路基板ＰＣＢの内側（後側液晶表示パネルと対向する面）において、テープキャリアパッケージＴＣＰの接続領域から遠い側に設けたコネクタＣＴ２に接続する。
【００３６】
図１０は、後側液晶表示パネルに前記本発明の実施例１で説明したものと同様のデジタル信号順次転送方式の液晶表示パネルを用い、前側の液晶表示パネルに図５で説明したフレキシブルプリント基板を有するデジタル信号順次転送方式の液晶表示パネルを用いた液晶表示装置における駆動信号供給方式を説明する図である。なお、ここでもバックライトは図示を省略した。前側の液晶表示パネルＰＮＬ１のフレキシブルプリント基板ＦＰＣ１は長尺部分の中央付近に幅広部分を形成してあり、駆動回路基板ＰＣＢの中央部分でコネクタＣＴ１に接続されている。フレキシブルプリント基板ＦＰＣ１のコネクタＣＴ１との接続部分には各駆動回路チップへの配線が集中するため、ＣＴ１は大型となる。そのため、コネクタＣＴ１は図８と同様の位置に配置せざるを得ない。後側液晶表示パネルＰＮＬ２のフレキシブルプリント基板ＦＰＣ２の幅広部分ＩＦを折り曲げてコネクタＣＴ１から遠い側に設けたこのコネクタＣＴ２に接続することになる。
【００３７】
図１１は、二枚の液晶パネルを前後に重ねて構成した本発明にかかる三次元画像表示を行う液晶表示装置の全体構成例を説明する図である。図１１において、ＳＯＣは外部信号源、ＩＦＣはインターフェース回路、ＤＭＬは表示モジュールである。外部信号源ＳＯＣから入力する表示データは、赤、緑、青３色の各階調信号Ｒ，Ｇ，Ｂと深さ情報Ｚとから構成される。この表示データはインターフェース回路ＩＦＣを介して表示モジュールＤＭＬの駆動回路ＤＳＣに入力する。駆動回路ＤＳＣは前記の駆動回路基板ＰＣＢに搭載されている。表示モジュールＤＭＬには、３色の各階調信号Ｒ，Ｇ，Ｂと深さ情報Ｚとから前側液晶表示パネルＰＮＬ１の表示部ＡＲＦに表示するための赤、緑、青３色の表示信号と後側液晶表示パネルＰＮＬ２の表示部ＡＲＲに表示するための赤、緑、青３色の表示信号との二系統に展開する二画面表示信号生成回路ＣＣ１と、後側液晶表示パネルＰＮＬ２の表示部ＡＲＲに表示するための赤、緑、青３色の表示信号の解像度を変換する精細度変換回路ＣＣ２と、前側液晶表示パネルＰＮＬ１の表示部ＡＲＦと後側液晶表示パネルＰＮＬ２の表示部ＡＲＲの表示タイミングを生成するタイミングコントローラＴＣＯＮとを有する。
【００３８】
外部信号源ＳＯＣから入力する各表示データ信号（階調信号）Ｒ，Ｇ，Ｂと深さ情報Ｚは、典型的には各６ビットである。表示制御装置ＤＳＣでは、入力したＲ，Ｇ，Ｂ及びＺに基づいて前側液晶表示パネルＰＮＬ１と後側液晶表示パネルＰＮＬ２のそれぞれに与える表示信号Ｒ，Ｇ，Ｂを演算して振り分ける。また、精細度の高い後側液晶表示パネルＰＮＬ２への表示データは精細度変換回路ＣＣ２（スケーラ）で精細度を変換する。精細度の変換は、例えばバイリニア方式で行う。
【００３９】
また、この例では、外部信号源ＳＯＣから入力する表示データはＶＧＡであり、前側液晶表示パネルＰＮＬ１と同じである。したがって、精細度変換回路ＣＣ２は後側液晶表示パネルＰＮＬ２への表示信号をＶＧＡ→ＸＧＡ変換する。
【００４０】
図１２は、二枚の液晶表示パネルを観察側からみて垂直方向の前後に重ね合わせて立体画像表示を行うようにした液晶表示装置の組立例を説明する展開斜視図である。この液晶表示装置は、前側液晶表示パネルＰＮＬ１と後側液晶表示パネルＰＮＬ２をスペーサＳＰＣを介して所定の間隔をもって重ね合わされている。前側液晶表示パネルＰＮＬ１の表面には偏光フィルムＰＯＬ１が貼付され、後側液晶表示パネルＰＮＬ２の背面には偏光フィルムＰＯＬ２が貼付されている。
【００４１】
また、後側液晶表示パネルＰＮＬ２の背面にはバックライト（照明装置）ＢＬが設置され、バックライトＢＬの背面に駆動回路基板ＰＣＢが設置される。そして、下側フレームＦＬＭ２と上側フレームＦＬＭ１とで表示装置全体を包み込んで表示モジュールに一体化する筐体を構成する。また、この液晶表示装置では、そのバックライトＢＬに１又は複数本の冷陰極蛍光灯を用いており、これに駆動電流を供給するインバータＩＮＶが設けられている。なお、このようなバックライトとしては、他に発光ダイオードアレイを用いることもできる。
【図面の簡単な説明】
【００４２】
【図１】二枚の液晶パネルを用いた本発明の液晶表示装置の実施例１の構成を説明する液晶表示パネルとフレキシブルプリント基板の接続状態を説明する図である。
【図２】本発明の実施例１を説明する液晶表示装置の背面を示す図である。
【図３】本発明におけるフレキシブルプリント基板の材料取りの効率化を説明する模式図である。
【図４】デジタル信号バス配線方式の液晶表示パネルに複数のフレキシブルプリント基板を用いて駆動回路基板を接続した構成の説明図である。
【図５】デジタル信号バス配線方式の液晶表示パネルに一本のフレキシブルプリント基板を用いて駆動回路基板を接続した構成の説明図である。
【図６】デジタル信号バス配線方式の液晶表示パネルに複数のテープキャリアパッケージを用いて駆動回路基板を接続した構成の説明図である。
【図７】前側液晶表示パネルに前記本発明の実施例１で説明したものと同様のデジタル信号順次転送方式の液晶表示パネルを用い、後側の液晶表示パネルに図４で説明したデジタル信号バス配線方式の液晶表示パネルを用いた液晶表示装置における駆動信号供給方式を説明する図である。
【図８】前側液晶表示パネルに前記本発明の実施例１で説明したものと同様のデジタル信号順次転送方式の液晶表示パネルを用い、後側の液晶表示パネルに図５で説明したデジタル信号バス配線方式の液晶表示パネルを用いた液晶表示装置における駆動信号供給方式を説明する図である。
【図９】後側液晶表示パネルに前記本発明の実施例１で説明したものと同様のデジタル信号順次転送方式の液晶表示パネルを用い、前側の液晶表示パネルに図６で説明したデジタル信号バス配線方式の液晶表示パネルを用いた液晶表示装置における駆動信号供給方式を説明する図である。
【図１０】後側液晶表示パネルに前記本発明の実施例１で説明したものと同様のデジタル信号順次転送方式の液晶表示パネルを用い、前側の液晶表示パネルに図５で説明したフレキシブルプリント基板を有するデジタル信号順次転送方式の液晶表示パネルを用いた液晶表示装置における駆動信号供給方式を説明する図である。
【図１１】二枚の液晶パネルを用いた本発明の三次元画像表示装置の実施例１の全体構成を説明する図である。
【図１２】二枚の液晶表示パネルを観察側からみて垂直方向の前後に重ね合わせて立体画像表示を行うようにした三次元画像表示装置の構成例を説明する展開斜視図である。
【図１３】液晶表示パネルに取り付けるフレキシブルプリント基板の１形態を説明する平面図である。
【図１４】液晶表示パネルとバックライトおよび駆動回路基板を組み合わせてフレキシブルプリント基板で液晶表示パネルと駆動回路基板を接続した状態を示す側面図である。
【図１５】二枚重ねの液晶表示パネルに同一のフレキシブルプリント基板を用いた場合の課題を説明する側面図である。
【図１６】図１３に示したフレキシブルプリント基板の材料取りを説明する図である。
【符号の説明】
【００４３】
ＰＮＬ１・・・前側液晶表示パネル、ＰＮＬ２・・・後側液晶表示パネル、ＦＰＣ１,ＦＰＣ２・・・フレキシブルプリント基板、ＳＦ・・・長尺部分、ＩＦ・・・幅広部分、ＴＭ・・・端子、ＮＴＣ・・・カバーフィルム線状剥離部分、ＢＧ・・・ブリッジ部分、ＣＴ１,ＣＴ２・・・コネクタ、ＢＬ・・・バックライト、ＰＣＢ・・・駆動回路基板、ＳＯＣ・・・外部信号源、ＩＦＣ・・・インターフェース回路、ＭＤＬ・・・表示モジュール。
【図１】
2008065010.tif 000003
【図２】
2008065010.tif 000004
【図３】
2008065010.tif 000005
【図４】
2008065010.tif 000006
【図５】
2008065010.tif 000007
【図６】
2008065010.tif 000008
【図７】
2008065010.tif 000009
【図８】
2008065010.tif 000010
【図９】
2008065010.tif 000011
【図１０】
2008065010.tif 000012
【図１１】
2008065010.tif 000013
【図１２】
2008065010.tif 000014
【図１３】
2008065010.tif 000015
【図１４】
2008065010.tif 000016
【図１５】
2008065010.tif 000017
【図１６】
2008065010.tif 000018